(57)【特許請求の範囲】
【請求項１】
前端に空気の吹出口(S)を有する筒状の枠体（3）と、
上記枠体（3）内部に互いに平行に配設され、それぞれ所定の第１方向に延びる第１軸
（A）周りに回動可能な複数の前ブレード（5,5,…）と、
上記枠体（3）内部の前ブレード（5,5,…)よりも後側に互いに平行に配設され、それぞれ上記第１方向と交差する第２方向に延びる第２軸（B）周りに回動可能な複数の後ブレード（7,7,…)と、
上記複数の前ブレード（5,5,…)及び上記複数の後ブレード（7,7,…）を回動させる回
動機構（9）とを備え、
上記複数の後ブレード（7,7,…)の１つには、前方に開口する切欠部（75）が形成され、
上記切欠部（75）には、当該切欠部（75）の周縁部における上記第２方向の一方側と他方側とを接続するガイド柱（79）が設けられ、
上記回動機構（9）は、上記複数の前ブレード（5,5,…)の１つに第１方向にスライド移動可能に取り付けられる操作ノブ（91）と、上記ガイド柱（79）と係合するリンクアーム（93）とを有し、
上記操作ノブ（91）及びリンクアーム（93）は、上記第１軸（A）と平行な第３軸（C）周りに互いに回動可能に連結され、
上記操作ノブ（91）の第３軸（C）周りの回動により、当該操作ノブ（91）が取り付けられた前ブレード（5）が第１軸（A）周りに回動し、それに連動して他の全ての前ブレード（5,5,…)が第１軸（A）周りに回動する一方、上記操作ノブ（91）の第１方向へのスライド移動により、その移動力が上記リンクアーム（93）を介して上記ガイド柱（79）が設けられた後ブレード（7）に伝動して該後ブレード（7）が第２軸（B）周りに回動し、それに連動して他の全ての後ブレード（7,7,…)が第２軸（B）周りに回動するように構成されたレジスタであって、
上記切欠部（75）の周縁部には、互いに上記第２方向に対向する一対の張出部（77,77）が形成され、
上記操作ノブ（91）には、後方に向かって突出する２つの規制突起（91d,91d）が離間して設けられ、
上記リンクアーム（93）は、上記ガイド柱（79）を挟んで第１方向の両側に配設された一対の脚部（93a,93a'）と、該脚部（93a,93a'）の前端部同士を連結し、上記操作ノブ（91）の規制突起（91d,91d）間に配置された位置決め部（93b）とを有し、上記両脚部（93a,93a'）の少なくとも一方の後端には、上記両張出部（77,77）に摺動可能に常時弾性的に圧接する圧接部（93f,93f'）が設けられていることを特徴とするレジスタ。
【請求項２】
請求項１に記載のレジスタにおいて、
上記操作ノブ（91）の後端部には、嵌合孔（91c, 91c）を有する一対の連結片（91b,91b）が、上記両規制突起（91d,91d）の第１方向両外側に設けられ、
上記リンクアーム（93）の各脚部（93a,93a'）の外側部分には、延出部（93c,93c）が第１方向及び前方に向かって延設され、両延出部（93c,93c）の前端部には、上記連結片（91b,91b）の嵌合孔（91c, 91c）に回動自在に嵌合する連結突起(93d,93d)が同軸上に設けられていることを特徴とするレジスタ。
【請求項３】
請求項１又は２に記載のレジスタにおいて、
上記両脚部(93a,93a')の各々の後端に上記圧接部(93f,93f')がそれぞれ設けられ、
該両圧接部(93f,93f')の一方は、上記両張出部(77,77)の一方に摺動可能に常時弾性的に圧接するとともに、該両圧接部(93f,93f')の他方は、上記両張出部(77,77)の他方に摺動可能に常時弾性的に圧接していることを特徴とするレジスタ。
【請求項４】
請求項３に記載のレジスタにおいて、
上記両脚部(93a,93a')の少なくとも一方は弾性変形可能になっていて、当該弾性変形により上記両圧接部(93f,93f')がそれぞれ対応する張出部(77)に常時弾性的に圧接していることを特徴とするレジスタ。
【請求項５】
請求項１又は２に記載のレジスタにおいて、
上記圧接部(93f,93f')には、刳抜部(93k,93k)が形成されて弾性変形可能になっていて,当該弾性変形により上記両圧接部(93f,93f')がそれぞれ両張出部(77,77)に常時弾性的に圧接していることを特徴とするレジスタ。
【発明の詳細な説明】
【技術分野】
【０００１】
本発明は、例えば自動車の車室内の換気や空調の空気吹出部に使用されるレジスタに関する。
【背景技術】
【０００２】
従来より、自動車のインストルメントパネル等に配設され、例えば空調装置で調節された調和空気を車室内に吹き出す空気吹出部に使用されるレジスタが知られている。
【０００３】
例えば特許文献１には、略矩形筒状の枠体内部に互いに平行に配設され、左右方向に延びる軸周り（つまり、上下方向）に回動可能な複数の前ブレードと、枠体内部の前ブレードよりも後側に互いに平行に配設され、上下方向に延びる軸周り（つまり、左右方向）に回動可能な複数の後ブレードとを備えたレジスタが開示されている。そして、複数の後ブレードの１つには、前方に開口する切欠部が設けられ、該切欠部には当該切欠部の周縁部における上側部分と下側部分とを接続するガイド柱が設けられ、さらに上記切欠部の周縁部には、互いに上下方向に対向する一対の張出部が形成されている。また、複数の前ブレードの１つには、操作ノブが左右方向にスライド移動可能に装着され、該操作ノブには、上記ガイド柱を左右両側から挟む一対の薄肉ヒンジ部を有する脚部と、各脚部の後端に設けられた円板状の当接部とからなるリンクアームが操作ノブに対して上下方向に回動可能に一体に連結されている。上記当接部の側面は、切欠部の上縁及び下縁に当接している。
【０００４】
このレジスタでは、使用者が操作ノブを上下方向に回動させると、操作ノブが装着された前ブレードが上下方向に回動し、それに連動して他の全ての前ブレードが上下方向に回動する一方、使用者が操作ノブを左右方向にスライド移動させると、その移動力が脚部からガイド柱が設けられた後ブレードに伝動して該後ブレードが左右方向に回動し、それに連動して他の全ての後ブレードが左右方向に回動する。これにより、空気の吹出方向を上下左右に調整することができるようになっている。
【０００５】
このレジスタでは、当接部が両張出部に当接しているので、切欠部内における当接部の張出部対向方向への移動が防止され、当接部の切欠部内でのバタつきによる異音の発生が防止される。
【先行技術文献】
【特許文献】
【０００６】
【特許文献１】特開平１−１８２１１５号公報
【発明の概要】
【発明が解決しようとする課題】
【０００７】
しかし、上記特許文献１では、当接部の張出部対向方向（上下方向）の幅が両張出部の上下方向の間隔よりも長くなった場合には、当接部を切欠部内側に挿入できなくなり、前ブレードの後ブレードへの組付けが不可能になる。一方、当接部の上下方向の幅が両張出部の上下方向の間隔よりも短くなった場合には、当接部と張出部との間に上下方向の隙間が生じ、上述した異音発生防止効果が得られない。このように、引用文献１では、当接部の上下方向の寸法誤差が殆ど許容されないので、レジスタの製造が困難である。
【０００８】
本発明は、かかる点に鑑みてなされたものであり、その目的とするところは、レジスタの製造を容易にすることにある。
【課題を解決するための手段】
【０００９】
上記の目的を達成するため、本発明は、リンクアームの後端部に、上記両張出部に摺動可能に常時弾性的に圧接する圧接部を設けたことを特徴とする。
【００１０】
具体的には、本発明は、前端に空気の吹出口を有する筒状の枠体と、上記枠体内部に互いに平行に配設され、それぞれ所定の第１方向に延びる第１軸周りに回動可能な複数の前ブレードと、上記枠体内部の前ブレードよりも後側に互いに平行に配設され、それぞれ上記第１方向と交差する第２方向に延びる第２軸周りに回動可能な複数の後ブレードと、上記複数の前ブレード及び上記複数の後ブレードを回動させる回動機構とを備え、上記複数の後ブレードの１つには、前方に開口する切欠部が形成され、上記切欠部には、当該切欠部の周縁部における上記第２方向の一方側と他方側とを接続するガイド柱が設けられ、上記回動機構は、上記複数の前ブレードの１つに第１方向にスライド移動可能に取り付けられる操作ノブと、上記ガイド柱と係合するリンクアームとを有し、上記操作ノブ及びリンクアームは、上記第１軸と平行な第３軸周りに互いに回動可能に連結され、上記操作ノブの第３軸周りの回動により、当該操作ノブが取り付けられた前ブレードが第１軸周りに回動し、それに連動して他の全ての前ブレードが第１軸周りに回動する一方、上記操作ノブの第１方向へのスライド移動により、その移動力が上記リンクアームを介して上記ガイド柱が設けられた後ブレードに伝動して該後ブレードが第２軸周りに回動し、それに連動して他の全ての後ブレードが第２軸周りに回動するように構成されたレジスタを対象とし、次のような解決手段を講じた。
【００１１】
すなわち、請求項１に記載の発明は、上記切欠部の周縁部には、互いに上記第２方向に対向する一対の張出部が形成され、上記操作ノブには、後方に向かって突出する２つの規制突起が離間して設けられ、上記リンクアームは、上記ガイド柱を挟んで第１方向の両側に配設された一対の脚部と、該脚部の前端部同士を連結し、上記操作ノブの規制突起間に配置された位置決め部とを有し、上記両脚部の少なくとも一方の後端には、上記両張出部に摺動可能に常時弾性的に圧接する圧接部が設けられていることを特徴とする。
【００１２】
請求項２に記載の発明は、請求項１に記載のレジスタにおいて、上記操作ノブの後端部には、嵌合孔を有する一対の連結片が、上記両規制突起の第１方向両外側に設けられ、上記リンクアームの各脚部の外側部分には、延出部が第１方向及び前方に向かって延設され、両延出部の前端部には、上記連結片の嵌合孔に回動自在に嵌合する連結突起が同軸上に設けられていることを特徴とする。
【００１３】
請求項３に記載の発明は、請求項１又は２に記載のレジスタにおいて、上記両脚部の各々の後端に上記圧接部がそれぞれ設けられ、該両圧接部の一方は、上記両張出部の一方に摺動可能に常時弾性的に圧接するとともに、該両圧接部の他方は、上記両張出部の他方に摺動可能に常時弾性的に圧接していることを特徴とする。
【００１４】
請求項４に記載の発明は、請求項３に記載のレジスタにおいて、上記両脚部の少なくとも一方は弾性変形可能になっていて、当該弾性変形により上記両圧接部がそれぞれ対応する張出部に常時弾性的に圧接していることを特徴とする。
【００１５】
請求項５に記載の発明は、請求項１又は２に記載のレジスタにおいて、上記圧接部には、刳抜部が形成されて弾性変形可能になっていて、当該弾性変形により上記両圧接部がそれぞれ両張出部に常時弾性的に圧接していることを特徴とする。
【発明の効果】
【００１６】
請求項１に記載の発明によれば、組み付け前の状態では、圧接部の両張出部との圧接箇所の第２方向の間隔が両張出部の第２方向の間隔よりも大きいが、組み付け時には圧接部が両張出部に圧接して弾性変形し、当該圧接箇所の間隔が第２方向に狭められた状態で切欠部内に挿入される。したがって、圧接部の両張出部との圧接箇所の第２方向の間隔の寸法誤差が、弾性的に狭めることが可能な範囲だけ許容され、レジスタの製造が容易になる。
【００１７】
また、両張出部にそれぞれ圧接部が常時圧接しているので、圧接部の切欠部内における第２方向の移動を防止できる。したがって、圧接部の切欠部内でのバタつきによる異音の発生を防止できる。
【００１８】
また、一対の脚部がガイド柱を挟んで第１方向の両側に配設されているため、操作ノブの第１方向へのスライド移動により、その移動力がリンクアームの一対の脚部から後ブレードに伝動して該後ブレードを第１方向に回動させることができる。
【００１９】
請求項２に記載の発明によれば、位置決め部と両規制突起とで、操作ノブ及びリンクアームの第１方向の相対移動が規制され、操作ノブとリンクアームとの連結が解除されることが防止される。
【００２０】
請求項３に記載の発明によれば、各圧接部を両張出部の一方のみに圧接させるので、各圧接部を両張出部に圧接させる場合に比べ、各圧接部の第２方向の寸法に求められる精度を高くせずに済み、リンクアームの製造が容易になる。
【００２１】
請求項４に記載の発明によれば、両張出部の圧接部への圧接力が脚部前端近傍を支点として脚部にかかるので、圧接部自体を弾性変形させる場合に比べ、てこの原理により比較的小さい圧接力で脚部を弾性変形させることができる。したがって、圧接部の切欠部への挿入作業が容易になる。
【００２２】
請求項５に記載の発明によれば、圧接部の重量を刳抜部相当分低減できるので、リンクアームを軽量化できる。
【図面の簡単な説明】
【００２３】
【図１】本発明の実施形態１に係るレジスタの概略斜視図である。
【図２】回動機構の周辺部の斜視図である。
【図３】後ブレードの斜視図である。
【図４】操作ノブの斜視図である。
【図５】リンクアームの斜視図である。
【図６】圧接部を切欠部に挿入していない状態でのリンクアームの背面図である。
【図７】レジスタの動作説明図である。
【図８】実施形態１の変形例の図５相当図である。
【図９】実施形態２の図５相当図である。
【図１０】実施形態２の変形例の図５相当図である。
【発明を実施するための形態】
【００２４】
以下、本発明の実施形態を図面に基づいて詳細に説明する。尚、以下の好ましい実施形態の説明は、本質的に例示に過ぎない。
【００２５】
（実施形態１）
図１は、本発明の実施形態１に係るレジスタ１の概略斜視図である。このレジスタ１は、例えば自動車のインストルメントパネル等に配設され、空調装置で調節された調和空気を車室内に吹き出す空気吹出部に使用されるものであり、調和空気の吹出方向を上下左右に調整する機能を有する。
【００２６】
レジスタ１は、後端部（図１の紙面奥側の端部）が図示しないエアダクトを介して空調装置（不図示）に接続されると共に前端部に空調装置で調節された空気の吹出口Ｓを有する略矩形筒状の枠体３を備える。
【００２７】
枠体３の前端部には、レジスタ１の前面を形成する略矩形状の化粧枠３１が取り付けられている。
【００２８】
化粧枠３１の下部には、枠体３内部に形成される空気通路を開閉するシャッタ（図示せず）を操作するための操作ダイヤル３３が設けられている。
【００２９】
枠体３内部の吹出口Ｓ付近には、左右方向に延びる複数（ここでは５つ）の板状の前ブレード５，５，・・・が互いに平行に配設されている。
【００３０】
各前ブレード５の左右両端部の前部には、図２に示すように、左右方向に突出する回動軸５１，５１が同軸上に設けられている。そうして、これら回動軸５１，５１が枠体３の左右側壁に回動可能に支持されていることより、各前ブレード５は、左右方向に延びる軸Ａ周り（つまり、上下方向）に回動可能になっている。従って、本実施形態では、左右方向が第１方向となり、軸Ａが第１軸となる。
【００３１】
各前ブレード５の右端部の略中央部には、突出部５３が設けられている。そして、５つの前ブレード５，５，・・・の突出部５３がリンク部材（不図示）で連結されていることにより、５つ全ての前ブレード５が連動して上下方向に回動するようになっている。
【００３２】
枠体３内部の前ブレード５よりも後側で且つ上記シャッタよりも前側には、上下方向に延びる複数（ここでは４つ）の板状の後ブレード７，７，・・・が互いに平行に配設されている。
【００３３】
各後ブレード７の上下両端部には、図２，３に示すように、上下方向に突出する回動軸７１が同軸上に設けられている。そして、これら回動軸７１，７１が枠体３の上下側壁に回動可能に支持されていることにより、各後ブレード７は、上下方向に延びる軸Ｂ周り（つまり、左右方向）に回動可能になっている。従って、本実施形態では、上下方向が第２方向（第１方向と交差する方向）となり、軸Ｂが第２軸となる。
【００３４】
各後ブレード７の下端部の後部には、突出部７３が設けられている。そして、４つの後ブレード７，７，・・・の突出部７３がリンク部材（不図示）で連結されていることにより、４つ全ての後ブレード７が連動して左右方向に回動するようになっている。
【００３５】
複数の後ブレード７，７，・・・の１つ（図１の右から２番目の後ブレード７）には、該後ブレード７の前端縁から後方に向かって切欠かれて前方に開口する切欠部７５が形成されている。
【００３６】
切欠部７５の周縁部の前端部近傍には、互いに上下方向に対向する一対のフランジ状の張出部７７，７７が設けられ、両張出部７７，７７の前端部近傍同士は、棒状のガイド柱７９により接続されている。こうして、切欠部７５の周縁部における上側と下側とがガイド柱７９により接続されている。
【００３７】
そうして、レジスタ１は、複数の前ブレード５，５，・・・を上下方向に、複数の後ブレード７，７，・・・を左右方向にそれぞれ回動させるための回動機構９をさらに備えている。
【００３８】
回動機構９は、レジスタ１の使用者が空気の吹出方向を調節する際に掴む操作ノブ９１と、後ブレード７のガイド柱７９と係合するリンクアーム９３とを有する。
【００３９】
操作ノブ９１には、図２，４に示すように、当該操作ノブ９１を左右方向に貫通するスリット９１ａが設けられている。操作ノブ９１は、スリット９１ａから４つの前ブレード５，５，・・・の１つ（図１の上から３番目の前ブレード５）に外挿され、該前ブレード
５に左右方向にスライド移動可能に取り付けられている。
【００４０】
操作ノブ９１のスリット９１ａ下側の後端部には、リンクアーム９３を連結するための連結片９１ｂが左右両端部それぞれに設けられ、各連結片９１ｂには、後述するリンクアーム９３の連結突起９３ｄが嵌合する嵌合孔９１ｃが設けられている。
【００４１】
操作ノブ９１のスリット９１ａ下側の後端部における左右方向略中央部には、後方に向かって突出する２つの規制突起９１ｄ，９１ｄが離間して設けられている。
【００４２】
リンクアーム９３は、図２，５に示すように、二股状に形成されていて、左右方向に間隔を空けて設けられた弾性変形可能な一対の脚部９３ａ，９３ａ’（図５中、９３ａが右側の脚部、９３ａ’が左側の脚部を示す）と、これら一対の脚部９３ａ，９３ａ’の前端部同士を連結する位置決め部９３ｂと、各脚部９３ａ，９３ａ’の外側部分から左右方向に延出すると共に、その延出端部で屈曲して前方に向かって延出する延出部９３ｃ，９３ｃとを有する。
【００４３】
両延出部９３ｃ，９３ｃの前端部の外側部分には、左右方向に突出する連結突起９３ｄ，９３ｄが同軸上に設けられている。そして、両延出部９３ｃ，９３ｃの前端部が連結片９１ｂ，９１ｂと規制突起９１ｄ，９１ｄとの間に配置され、両延出部９３ｃ，９３ｃの連結突起９３ｄ，９３ｄが嵌合孔９１ｃ，９１ｃに回動自在に嵌合されていることにより、操作ノブ９１とリンクアーム９３とが左右方向に延びる軸Ｃ周り（つまり、上下方向）に互いに回動可能に連結されている。従って、本実施形態では、軸Ｃが第３軸となる。
【００４４】
位置決め部９３ｂは、規制突起９１ｄ，９１ｄ間に配置されており、このことにより、位置決め部９３ｂと両規制突起９１ｄ，９１ｄとで、操作ノブ９１及びリンクアーム９３の左右方向の相対移動を規制し、操作ノブ９１とリンクアーム９３との連結が解除されることを防止している。
【００４５】
両脚部９３ａ，９３ａ’の間には、ガイド溝９３ｅが形成されていて、このガイド溝９３ｅにガイド柱７９が配設されている。換言すれば、両脚部９３ａ，９３ａ’は、ガイド柱７９を挟んで左右両側に配設されている。このようにして、リンクアーム９３とガイド柱７９が係合している。
【００４６】
脚部９３ａの後端には、円盤状の圧接部９３ｆが一体に設けられ、同様に、脚部９３ａ’の後端にも、円盤状の圧接部９３ｆ’が一体に設けられている。各圧接部９３ｆ，９３ｆ’の脚部９３ａ，９３ａ’との連結箇所を除く周縁には、該周縁に沿って湾曲する湾曲面９３ｇが形成され、該湾曲面９３ｇの幅方向両側縁部には、全体に亘ってアール部９３ｈが形成されている。各圧接部９３ｆ，９３ｆ’の上下方向の幅Ｗ１（図６参照）は、互いに等しく、かつ両張出部７７，７７の間隔Ｄ１よりも短く設定されている。上記両圧接部９３ｆ，９３ｆ’を切欠部７５内に挿入していない状態では、図６に示すように、両脚部９３ａ，９３ａ’が弾性変形しておらず、圧接部９３ｆ，９３ｆ’が上下方向に互いにずれている（ずれ量を図６中、Ｏｆｆｓｅｔと示す）。そして、右側の圧接部９３ｆの上端と左側の圧接部９３ｆ’の下端との間隔Ｄ２、即ち両圧接部９３ｆ，９３ｆ’の両張出部７７，７７との圧接箇所の上下方向の間隔が両張出部７７，７７の上下方向の間隔Ｄ１よりも大きくなっている。
【００４７】
また、各延出部９３ｃ，９３ｃの屈曲箇所近傍には、後方に向けて棒状の補強部９３ｉが突設されて上記各圧接部９３ｆ，９３ｆ’の外側の面に連結されている。これにより、両圧接部９３ｆ，９３ｆ’は互いに接離する方向には移動しないが、上下方向に移動可能となっている。
【００４８】
そして、両圧接部９３ｆ，９３ｆ’は切欠部７５内に位置し、一方の圧接部９３ｆの湾曲面９３ｇは、脚部９３ａの下方への弾性変形により上側の張出部７７に摺動可能に常時弾性的に圧接し、該一方の圧接部９３ｆは下側の張出部７７から離間している。他方の圧接部９３ｆ’の湾曲面９３ｇは、脚部９３ａ’の上方への弾性変形により下側の張出部７７に摺動可能に常時弾性的に圧接し、該他方の圧接部９３ｆ’は上側の張出部７７から離間している。
【００４９】
組み付け時には、右側の圧接部９３ｆの上端と左側の圧接部９３ｆ’の下端とを張出部７７，７７に圧接させることにより両者の間隔Ｄ２を弾性的に狭めながら両圧接部９３ｆ，９３ｆ’を切欠部７５内に挿入できる。したがって、右側の圧接部９３ｆの上端と左側の圧接部９３ｆ’の下端との間隔Ｄ２の寸法誤差が、脚部９３ａ，９３ａ’の弾性変形により変化可能な範囲だけ許容され、リンクアーム９３の製造が容易になる。
【００５０】
また、各圧接部９３ｆ，９３ｆ’を両張出部７７，７７の一方のみに圧接させるので、各圧接部９３ｆ，９３ｆ’を両張出部７７，７７に圧接させる場合に比べ、各圧接部９３ｆ，９３ｆ’の上下方向の寸法を高くせずに済み、リンクアーム９３の製造が容易になる。
【００５１】
さらに、両張出部７７の圧接部９３ｆ，９３ｆ’への圧接力が脚部９３ａ，９３ａ’前端近傍を支点として脚部９３ａ，９３ａ’にかかるので、圧接部９３ｆ，９３ｆ’自体を弾性変形させる場合に比べ、てこの原理により比較的小さい圧接力で脚部９３ａ，９３ａ’を弾性変形させることができる。したがって、圧接部９３ｆ，９３ｆ’の切欠部７５への挿入作業が容易になる。
【００５２】
（レジスタの動作）
次に、上記シャッタを開けた状態で調和空気の吹出方向を上下左右に調整する方法について説明する。
【００５３】
まず、調和空気の吹出方向を上下に調整する場合について、図７を参照しながら説明する。
【００５４】
前ブレード５が水平状態にあるとき（図７（ａ）の状態）から調和空気の吹出方向を下向きに調整するには、操作ノブ９１を下方向に回動させる。これにより、操作ノブ９１が装着された前ブレード５が該前ブレード５の前側部分が下側に、後側部分が上側になるように上記軸Ａ周りに回動し、それに連動して他の全ての前ブレード５，５，・・・も同様に、前側部分が下側に、後側部分が上側になるように回動する。このとき、リンクアーム９３と操作ノブ９１との連結部ＪＴ（連結片９１ｂと連結突起９３ｄ）が図７（ａ）に示す位置から斜め前方上側に移動するため、リンクアーム９３は、軸Ｃ周りに回動しながら前方に移動する。この際、リンクアーム９３の圧接部９３ｆ，９３ｆ’は、後ブレード７の両張出部７７，７７と摺動しながら前方に移動する。こうして、図７（ｂ）に示す調和空気の吹出方向が下向きに調整された状態になる。
【００５５】
また、前ブレード５が水平状態にあるとき（図７（ａ）の状態）から調和空気の吹出方向を上向きに調整するには、操作ノブ９１を上記とは逆に上方向に回動させる。これにより、操作ノブ９１が装着された前ブレード５が該前ブレード５の前側部分が上側に、後側部分が下側になるように上記軸Ａ周りに回動し、それに連動して他の全ての前ブレード５，５，・・・も同様に、前側部分が上側に、後側部分が下側になるように回動する。このとき、リンクアーム９３と操作ノブ９１との連結部ＪＴが図７（ａ）に示す位置から斜め前方下側に移動するため、リンクアーム９３は、軸Ｃ周りに回動しながら前方に移動する。こうして、図７（ｃ）に示す調和空気の吹出方向が上向きに調整された状態になる。
【００５６】
一方、調和空気の吹出方向を左右に調整する際には、操作ノブ９１を左右方向にスライド移動させる。これにより、操作ノブ９１の移動力がリンクアーム９３の脚部９３ａから後ブレード７に伝動して該後ブレード７が軸Ｂ周り（左右方向）に回動し、それに連動して他の全ての後ブレード７が左右方向に回動し、調和空気の吹出方向が左右に調整される。
【００５７】
したがって、本実施形態１では、リンクアーム９３の両圧接部９３ｆ，９３ｆ’が両張出部７７，７７に常時圧接している。そのため、操作ノブ９１の嵌合孔９１ｃやリンクアーム９３の連結突起９３ｄ，９３ｄが摩耗して、操作ノブ９１とリンクアーム９３との連結が緩んだとしても、空調装置からの調和空気等によりリンクアーム９３が軸Ｃ周り（上下方向）に回動して切欠部７５内でバタつくことはない。
【００５８】
また、上述したように、調和空気の吹出方向を調整する際にはリンクアーム９３の圧接部９３ｆ，９３ｆ’と後ブレード７の両張出部７７，７７とが摺動するが、圧接部９３ｆ，９３ｆ’が円盤状に形成されているため、（例えば、前ブレード５，５，・・・を極端に上向きや下向きにした場合であっても）圧接部９３ｆ，９３ｆ’と両張出部７７，７７とはスムーズに摺動する。そのため、レジスタ１の使用者は、無理なく調和空気の吹出方向を調整することができ、良好な操作感を得ることができる。
【００５９】
（実施形態１の変形例）
なお、実施形態１において、図８に示すように、両圧接部９３ｆ,９３ｆ’を略半円形
の板状に形成してもよい。つまり、図８中右側の圧接部９３ｆを実施形態１の圧接部９３ｆの下半部分で構成し、図８中左側の圧接部９３ｆ’を実施形態１の圧接部９３ｆ’の上半部分で構成してもよい。これにより、実施形態１に比べて各圧接部９３ｆ，９３ｆ’を小型化し、リンクアーム９３を軽量化できる。
【００６０】
（実施形態２）
図９は、実施形態２に係るレジスタ１のリンクアーム９３を示す。この実施形態２では、各圧接部９３ｆ，９３ｆ’が、脚部９３ａ，９３ａ’にその延長線上で連続する分割部９３ｊと、該分割部の上下に形成された略半円形状の一対の刳抜部９３ｋとを有し、上記分割部９３ｊに上記補強部９３ｉが連結されている。また、各補強部９３ｉが、略三角形の板状に形成され、延出部９３ｃの延出基端から屈曲箇所近傍までの部分と、脚部９３ａ，９３ａ’及び分割部９３ｊの外側の面とを連結している。これにより、両脚部９３ａ，９３ａ’周りの剛性が実施形態１に比べて高められ、両脚部９３ａ，９３ａ’が殆ど弾性変形しないようになっている。
【００６１】
そして、各圧接部９３ｆ，９３ｆ’は、刳抜部９３ｋを上下方向に狭めるように弾性変形することにより両張出部７７，７７に摺動可能に弾性的に圧接している。
【００６２】
また、上記両圧接部９３ｆ，９３ｆ’を切欠部７５内に挿入していない状態では、各圧接部９３ｆ，９３ｆ’の上下方向の幅Ｗ１が、互いに等しく、かつ両張出部７７，７７の間隔Ｄ１よりも長くなる。
【００６３】
したがって、本実施形態２では、圧接部９３ｆ，９３ｆ’の重量を刳抜部９３ｋ相当分低減できるので、リンクアーム９３を軽量化できる。
【００６４】
（実施形態２の変形例）
なお、実施形態２において、図１０に示すように、圧接部９３ｆ，９３ｆ’を、脚部９
３ａ，９３ａ’に連続する内側円盤部９３ｍと、刳抜部９３ｋを挟んで内側円盤部９３ｍを囲む円環部９３ｎとで構成し、内側円盤部９３ｍに上記補強部９３ｉを連結してもよい。このようにした場合でも、実施形態２と同様の効果が得られる。
【００６５】
（その他の変形例）
なお、上記実施形態１、２及びそれらの変形例において、操作ノブ９１とリンクアーム９３の連結構造は、上述の構成に限られず、例えば、リンクアーム９３の連結突起９３ｄ，９３ｄを延出部９３ｃ，９３ｃ前端部の内側部分に設け、該延出部９３ｃ，９３ｃ前端部を操作ノブ９１の連結片９１ｂ，９１ｂ外側に配置し、両延出部９３ｃ，９３ｃの連結突起９３ｄ，９３ｄを連結片９１ｂ，９１ｂの外側から嵌合孔９１ｃ，９１ｃに嵌合してもよい。
【００６６】
また、圧接部９３ｆ，９３ｆ’の形状を、上記実施形態１，２及び実施形態２の変形例では円盤状、実施形態１の変形例では半円形の板状とした。しかし、圧接部９３ｆ，９３ｆ’の形状はこれらの例に限られず、例えば、両張出部７７，７７と摺接する摺接部分（圧接部分）のみを前後方向に湾曲させた形状や、楕円形の板状としてもよい。圧接部９３ｆ，９３ｆ’の上記摺接部分（圧接部分）を前後方向に湾曲した形状にすることにより、風向き変更時の操作性をよりスムーズにできる。
【００６７】
また、一対の張出部７７，７７を切欠部７５の周縁部に沿って連続させて一体化してもよい。
【００６８】
また、上記実施形態１及びその変形例において、両脚部９３ａ，９３ａ’のうちのいずれか一方のみを弾性変形可能に構成し、該一方の弾性変形により両圧接部９３ｆ，９３ｆ’をそれぞれ対応する張出部７７に常時弾性的に圧接させてもよい。
【００６９】
また、上記実施形態２及びその変形例において、両脚部９３ａ，９３ａ’のうちのいずれか一方の後端のみに圧接部９３ｆ，９３ｆ’を形成してもよい。
【産業上の利用可能性】
【００７０】
本発明は、操作ノブを操作することにより調和空気等の吹出方向を調節することができるレジスタとして有用である。
【符号の説明】
【００７１】
１                レジスタ
３                枠体
５                前ブレード
７                後ブレード
９                回動機構
７５              切欠部
７７              張出部
７９              ガイド柱
９１              操作ノブ
９１ｂ 連結片
９１ｃ 嵌合孔
９１ｄ 規制突起
９３              リンクアーム
９３ａ，９３ａ’  脚部
９３ｂ 位置決め部
９３ｃ 延出部
９３ｄ 連結突起
９３ｆ，９３ｆ’  圧接部
９３ｋ            刳抜部
Ａ                軸（第１軸）
Ｂ                軸（第２軸）
Ｃ                軸（第３軸）
Ｓ                吹出口
【図１】
0005918552.tif 000002
【図２】
0005918552.tif 000003
【図３】
0005918552.tif 000004
【図４】
0005918552.tif 000005
【図５】
0005918552.tif 000006
【図６】
0005918552.tif 000007
【図７】
0005918552.tif 000008
【図８】
0005918552.tif 000009
【図９】
0005918552.tif 000010
【図１０】
0005918552.tif 000011